(57)【要約】【課題】給紙すべき用紙が長方形の短辺に最終折り目のある折り用紙であっても長辺を給紙の先端辺として１部ずつ給紙でき且つ先端辺が給紙方向と直交する方向に対して傾かないで給紙できる給紙装置の実現。【解決手段】給紙ローラとサバキ板とからなる分離機構を給紙板１の下流で、給紙方向に直交する方向では用紙の折り目が有る側に片寄せて配置し、その分離機構から反対側の方へ間隔を置いた位置に、用紙の前進に対して抵抗を与える抵抗手段３を配置するとともに、給紙方向では前記給紙ローラよりも上流位置で、給紙方向と直交する方向では前記分離機構と前記抵抗手段との間の位置に、用紙束の最上層紙に接し、最上層紙を給紙ローラとサバキ板との間へ送り込む補助給紙ローラ４を設ける。【選択図】図１
2008110824.tif 000002
【特許請求の範囲】
【請求項１】
下記の各手段を有することを特徴とする給紙装置。
（イ）用紙束を積載する前方下リ傾斜の給紙板
（ロ）該給紙板の給紙方向と直交する方向の一方端寄りの下流側に配置された第１給紙ローラとこれに圧接する第１サバキ板とで構成され第１給紙ローラと第１サバキ板との間で用紙を挟み最上層の１枚のみを分離して給送する第１分離機構
（ハ）前記第１分離機構に対し給紙方向と直交する方向の他方側へ間隔を置いて設けられ用紙の給紙に対して抵抗を与える抵抗手段
（ニ）給紙方向では前記第１給紙ローラよりも上流位置に、給紙方向と直交する方向では前記第１分離機構と前記抵抗手段との間の位置に、用紙束の上面に当接して第１給紙ローラと第１サバキ板との間へ用紙を送り込む補助給紙ローラ
【請求項２】
補助給紙ローラが、給紙方向と直交する方向において、第１分離機構と抵抗手段との間の第１分離機構寄りに設けられていることを特徴とする請求項１記載の給紙装置。
【請求項３】
第１サバキ板は、取付け台に固定され、その下流方向先端部分は取付け台より突出していることを特徴とする請求項１又は請求項２記載の給紙装置。
【請求項４】
抵抗手段が、給紙台の給紙方向と直交する方向での央部の下流に設けられた第２給紙ローラとこれに圧接する第２サバキ板を有する第２分離機構であることを特徴とする請求項１、２又は３に記載の給紙装置。
【請求項５】
第１分離機構の上流側に、積層用紙の給紙方向と直交する方向の一方側の端縁を押さえる押さえコロが設けられていることを特徴とする請求項１ないし４のいずれか１項に記載の給紙装置。
【請求項６】
前記押さえコロの一方側の側面が第１給紙ローラの一方側の側面よりも一方側へ出ていることを特徴とする請求項５記載の給紙装置。
【請求項７】
第１給紙ローラの上流側直近に用紙を第１の給紙ローラの下方へ導く導入コロが設けられていることを特徴とする請求項１〜６のいずれか１項に記載の給紙装置。
【請求項８】
前記導入コロの一方側の側面が第１給紙ローラの一方側の側面よりも一方側へ出ていることを特徴とする請求項７記載の給紙装置。
【請求項９】
第１サバキ板の下流側に第１給紙ローラに接触する給紙搬送コロを有することを特徴とする請求項１〜８のいずれか１項に記載の給紙装置。
【請求項１０】
給紙搬送コロの回転軸に回転駆動力が加えられていることを特徴とする請求項９記載の給紙装置。
【発明の詳細な説明】
【技術分野】
【０００１】
本発明は積載した用紙束から１部ずつ送給するための自動給紙装置の技術分野に属し、特に、２つ折りした用紙を、その折り筋方向に給紙する場合に関するものである。
【背景技術】
【０００２】
従来の給紙装置は、用紙束を載置するための前方下り傾斜の給紙板と、そのほぼ先端にあって、用紙束の最上層用紙に接していて前方へ送り出すための補助給紙ローラと、その更に前方（下流）に設けられた給紙ローラと捌き板とからなり、用紙を１枚１枚分離して送給する分離機構とからなっており、この分離機構および補助給紙ローラは、用紙束の幅方向の大体中央部分に配置されており、用紙が左右バランスよく送給されるようになっている。分離機構や補助給紙ローラを複数用いる場合も大体左右のバランスがとれる位置に配置されている。
そして、用紙が長方形である場合には幅広辺（長辺）を給紙方向の先端辺として給紙するようになっている。
【０００３】
このような給紙装置においては、補助給紙ローラによって用紙束の上の方から前方へ押し出された用紙を、給紙ローラと捌き板とによって確実に１枚ずつ分離して送り出すようになっている（例えば、特許文献１参照）。
このような給紙装置は、用紙が１枚ものである場合には非常によくその目的を達成することができる。
【０００４】
また、用紙が１枚ものではなく２つ折り或いは４つ折りの場合であっても、最終折り目が長方形の長辺となって、その折り目を先端の方にして給紙台に載置する場合には、一部ずつよく分離して送給される。
【特許文献１】特開平９−２０８０７１号公報（図１、図２、段落［００４０］〜［００４３）
【発明の開示】
【発明が解決しようとする課題】
【０００５】
しかしながら、新聞の折り込み広告などの場合、大版のものを新聞の折りサイズの中に入るように２つ折り、或いは４つ折りにした場合に最終折り目が長方形の短辺になってしまうことがある。これを横開き紙と言っている。
そうすると長辺（幅広辺）は用紙が複数枚になったり折り目が複数重なったものということになる。例えば、２つ折りの場合は折り目辺以外の３辺は２枚になるし、４つ折りの場合には、最終折り目以外の１辺は折り目が２つ重なり、他の２辺は４枚となる。
このような用紙を前述ように幅広辺が、給紙方向の先端辺になるように給紙台上に載置すると、先端辺は、１部の用紙であっても複数枚の用紙或いは複数の折り目が重なったものとなる。
【０００６】
しかし、分離機構はあくまでも用紙の１枚ずつ或いは折り目１つずつだけを分離して送給しようとするから、折りを保ったままの正常な送給はなされず、紙詰まり等のトラブルを引き起こしてしまうことになる。
従って、このような、広告用紙の場合には、給紙装置を用いて丁合することはできず、後から手作業で挿入せざるを得ず手間がかかるという問題があった。
【０００７】
本発明の課題は、上記従来技術の問題点に鑑みて、給紙すべき用紙が２つ折り、４つ折り等の折られたもので、長方形の短辺に最終折り目が来るような用紙であっても、その積載されたものから、１部ずつ分離して左右バランスよく給紙できる給紙装置を提供することにある。
【課題を解決するための手段】
【０００８】
本発明は上記の課題を解決するために以下の各手段構成を有する。
本発明の第１の構成（基本構成）は、下記の各手段を有することを特徴とする給紙装置である。
（イ）用紙束を積載する前方下リ傾斜の給紙板
（ロ）該給紙板の給紙方向と直交する方向の一方端寄りの下流側に配置された第１給紙ローラとこれに圧接する第１サバキ板とで構成され第１給紙ローラと第１サバキ板との間で用紙を挟み最上層の１枚のみを分離して給送する第１分離機構
（ハ）前記第１分離機構に対し給紙方向と直交する方向の他方側へ間隔を置いて設けられ用紙の給紙に対して抵抗を与える抵抗手段
（ニ）給紙方向では前記第１給紙ローラよりも上流位置に、給紙方向と直交する方向では前記第１分離機構と前記抵抗手段との間の位置に、用紙束の上面に当接して第１給紙ローラと第１サバキ板との間へ用紙を送り込む補助給紙ローラ
【０００９】
本発明の第２の構成は、前記第１の構成において、補助給紙ローラが、給紙方向と直交する方向において、第１分離機構と抵抗手段との間の第１分離機構寄りに設けられていることを特徴とする給紙装置である。
【００１０】
本発明の第３の構成は、前記第１の構成又は第２の構成において、第１サバキ板は、取付け台に固定され、その下流方向先端部分は取付け台より突出していることを特徴とする給紙装置である。
【００１１】
本発明の第４の構成は、前記第１の構成、第２の構成又は第３の構成において、抵抗手段が、給紙台の給紙方向と直交する方向での央部の下流に設けられた第２給紙ローラとこれに圧接する第２サバキ板を有する第２分離機構であることを特徴とする給紙装置である。
【００１２】
本発明の第５の構成は、前記第１の構成ないし第４の構成のいずれか１つの構成において、第１分離機構の上流側に、積層用紙の給紙方向と直交する方向の一方側の端縁を押さえる押さえコロが設けられていることを特徴とする給紙装置である。
【００１３】
本発明の第６の構成は、前記第５の構成において、前記押さえコロの一方側の側面が第１給紙ローラの一方側の側面よりも一方側へ出ていることを特徴とする給紙装置である。
【００１４】
本発明の第７の構成は、前記第１の構成ないし第６の構成のいずれか１つの構成において、第１給紙ローラの上流側直近に用紙を第１の給紙ローラの下方へ導く導入コロが設けられていることを特徴とする給紙装置である。
【００１５】
本発明の第８の構成は、前記第７の構成において、前記導入コロの一方側の側面が第１給紙ローラの一方側の側面よりも一方側へ出ていることを特徴とする給紙装置である。
【００１６】
本発明の第９の構成は、前記第１の構成ないし第８の構成のいずれか１つの構成において、第１サバキ板の下流側に第１給紙ローラに接触する給紙搬送コロを有することを特徴とする給紙装置である。
【００１７】
本発明の第１０の構成は、本発明の前記第９の構成において、給紙搬送コロの回転軸に回転駆動力が加えられていることを特徴とする給紙装置である。
【００１８】
以下、基本構成について述べる。
本発明は、短辺が最終折り目となっている折り用紙（横開き紙）を、長辺（幅広辺）を先端にし短辺が給紙方向の左右両側になるようにして給紙しようとするものである。従って、一部の用紙であっても先端辺は用紙が複数枚或いは折り目が複数重なった状態になっている。
従って、給紙板の下流に設けられる分離機構を、幅方向で、最終折り目となっている短辺から離れた、例えば中央部に設けると、分離機構は折られた用紙の上側を下側と分離して持って行こうとするため、折りを保ったままの正常な送給ができなくなり、紙詰り等のトラブルを引き起こしてしまうのでこのような位置に設けることはできない。
【００１９】
そこで、上側が給紙方向に引っ張られると下側もついて行くような上側と下側の一体性が強い位置、即ち左側或いは右側の折り目に近い位置に分離機構を置くこととした。このことにより、給紙方向に向かって側方に折り目のある用紙も１部ずつ分離して給紙されることになる。
【００２０】
ところで、給紙板は、積載された用紙が分離機構の方へ進み易いように前下り傾斜となっている。従って用紙束は自重で前進しようとする傾向がある。
一方、分離機構は用紙束から一部ずつ一定速度で分離して送給して行くものであるから、用紙束全体から見ると自重で前進しようとするのに対しこれをせき止めるような形になる。そして分離機構の位置は用紙の折り目のある側に片寄って設けられているため、そこを支点として用紙が給紙方向に対して傾くようになる。例えば、用紙の折り目が給紙方向に向かって左側にある場合には、分離機構も用紙の幅方向で左端近くにあるから、そこを支点として用紙幅の右側の方が左側よりも前に出て用紙の先端辺が傾く傾向が出て来る。
【００２１】
そこで、この傾きが生じないように、給紙方向に直交する方向で分離機構とは反対側の方へ間隔を置いて用紙の前進を抑える抵抗手段が設けられている。なお、給紙板が傾斜していても、用紙先端の位置がばらついていたり、用紙の残量が少なかったりすると、最上位の用紙が第１分離機構の給紙ローラに届かない場合があるので、用紙が確実に給紙ローラに届くように補助給紙ローラを設けている。この補助給紙ローラは、用紙の先端を第１分離機構の給紙ローラへ送り込む機能のみ着目すると第１分離機構の上流側に設けるのが良いと考えられるが、そうすると左側の搬送力が右側に比べて強くなり、左側が前に出て用紙の先端辺が傾いてしまう。そこで、給紙方向では、第１分離機構の給紙ローラよりも上流（後方）で、給紙方向と直交する方向では第１分離機構と抵抗手段との間の位置に補助給紙ローラを設けている。そうすると、抵抗手段との共同作用によって、用紙が傾くことなく直進させることができる。
以上が本発明給紙装置の基本構成である。
【発明の効果】
【００２２】
以下、本発明の各構成における効果について述べる。
第１の構成（基本構成）については、前述のように、分離機構を、給紙方向に向かって左右いずれかの用紙の折り目のある側に片寄らせて配置したことにより左右いずれかの短辺に折り目がある用紙も、１部ずつ給紙することが可能となり、また、抵抗手段と補助給紙ローラを設けることにより、分離機構を片寄らせたことによって生ずる用紙先端辺の傾きを補正し、傾きのない給紙が可能になるという効果がある。
【００２３】
本発明の第２の構成では、補助給紙ローラを第１分離機構と抵抗手段の間の第１分離機構寄りに設けている。
これは、分離機構の方が抵抗手段よりも用紙の送給に対する抵抗が大きいので、補助給紙ローラを分離機構寄りに設けることにより、用紙の先端辺の傾きを小さくすることができる効果がある。
【００２４】
本発明の第３の構成では、第１分離機構のサバキ板の下流方向先端部分が、サバキ板の取付け台より突出しているので、この部分ではサバキ板は、押されると弾性変形することができるので、１枚ものの用紙より厚くなっている折り用紙が入って来ても、サバキ板と給紙ローラ間の圧力は強過ぎにならず紙詰まりを起こすことがないという効果がある。
【００２５】
本発明の第４の構成では、抵抗手段を第２給紙ローラと第２サバキ板とからなる第２分離機構とし、これを給紙板の幅方向での央部に配置するというものであるが、この構成により、横開き紙でない通常の用紙も給紙することができるという効果がある。
【００２６】
本発明の第５の構成では、第１分離機構の上流側に積層用紙の給紙方向と直交する方向の一方側の端縁を押さえる押さえコロを設けているので、この一方側端縁を折り目側とすれば、折り目部分が押さえコロで押さえられることになり、第１分離機構の上流における折り目付近で、上側紙と下側紙がずれてしまったり、用紙の向きが給紙方向に対して傾くのを防ぐとともに、積載用紙上面の折り目側が高くなるのを抑制し、給紙を安定させるという効果がある。
【００２７】
本発明の第６の構成では、押さえコロの側面が積載用紙の折り目辺より一方側へ出ており、折り目そのものを押さえることになるので、第５の構成の効果を一層高めるという効果がある。
【００２８】
本発明の第７の構成では、第１の給紙ローラの上流側直近に用紙を第１の給紙ローラの下方へ導く導入コロを有しているので、第１の給紙ローラの圧の具合によって上側紙と下側紙の前進のバランスが悪くなり、第１の給紙ローラの手前で用紙が上側に膨らもうとするのを導入コロによって抑えることができ、上側紙と下側紙をともに安定して前進させることができるという効果がある。
【００２９】
本発明の第８の構成では、導入コロの一方側（給紙方向と直交する方向で給紙ローラが片寄せて設けられている側）が給紙ローラの一方側より更に一方側へ出ているので、その一方側において給紙ローラの圧が加わる範囲よりも広い範囲で用紙の膨らみを押えることになり、上側紙と下側紙をともに一層安定して前進させることができ折り目そのものにかかるようにすると更なる効果がある。
【００３０】
本発明の第９の構成では、第１サバキ板の下流に第１給紙ローラに接触する給紙搬送コロを有しているで、第１の分離機構でどうしてもわずかにさばかれて、上側紙が先行気味になろうとするのを、ずれが拡大する前に給紙搬送ローラと第１給紙ローラで挟持して送り出すので、上側紙と下側紙のずれの拡大を防止できるという効果がある。
【００３１】
本発明の第１０の構成では、給紙搬送ローラの回転軸に回転駆動力が加えられているので、ずれ拡大前の用紙の送り出しがより確実に行われることになる。
【発明を実施するための最良の形態】
【００３２】
本発明の第１の構成（基本構成）において、第１給紙ローラは、折り目そのものには接触せず、折り目の近傍に接触させるのが良い。折り目そのものに接触していると、折り目側の端縁が揃わずに積載されていた場合、折り目側の端部から次位以下の用紙露出して第１給紙ローラと接触してしまい、重送してしまうことがあるし、また、折り目側の端縁が揃っていないことから、用紙によっては第１給紙ローラに十分かからず、搬送力が不足して紙詰まりになることがあるからである。
【００３３】
第４の構成において、横開き紙でない用紙を給紙する場合には、第１給紙ローラと第１サバキ板を離間させるようにするか、或いは、第１給紙ローラを取り外し、補助給紙ローラを第２給紙ローラと、給紙方向で同一直線上に配置することができるようにしておくのが最良の形態である。
【００３４】
第６の構成においては、押さえコロが用紙の折り目そのものを押さえるようにするのが最良の形態である。
【００３５】
第８の構成においても、導入コロが用紙の折り目そのものを押さえるようにするのが最良の形態である。
【００３６】
第９の構成においては、給紙搬送コロの、上側紙と下流側紙をともに前進させるという目的から、給紙搬送コロにも駆動力を与えるようにするのが最良の形態である。
給紙搬送コロに駆動力を加えない場合には、給紙搬送コロのグリップ力によって、上側紙に対して下側紙が遅れる可能性があるから、給紙搬送コロの外周面を滑りのよい樹脂等にするのが最良の形態である。
【実施例】
【００３７】
以下、本発明給紙装置の実施例を図面を参照して説明する。
図１は、本発明給紙装置の部分平面図である。
給紙板１は給紙方向に前下りの傾斜をしており、この上に用紙束が積載される。補助給紙ローラ４は積載された用紙束の最上層の用紙に接する。
第１分離機構２は、折り用紙の折り目が左側にあるとして、給紙方向に向かって左端の方に配置されている。その構成は図２に示すように、給紙ローラ６とこれに先端部が接しているサバキ板７とから構成されており、給紙ローラ６は図示されていない駆動機構によって矢印の方向に回転することにより、給紙板１上に上層紙ほど先端が先行すように積載された用紙束の最上層紙をサバキ板７と給紙ローラ６の間に挟みその１部のみを分離して給送する。
１部の給紙が終わったならば引き続いて次の最上層の用紙に対し同様の動作をし、以後これを繰り返し積載された用紙束から１部ずつ給紙する。
サバキ板７は、サバキ板取付け台８に取付られているが、その先方部分はサバキ板取付台８の先端よりも突出するように取り付けられている。
【００３８】
こうすることにより、２つ折り用紙や４つ折り用紙のように１部であっても厚さが厚くなる用紙が入ってきても、サバキ板の先端が下方へ曲がるように弾性変形することによって、給紙ローラ６とサバキ板７との挟み圧力が過度に強くならないようにして紙詰まりが生じないようになっている。
【００３９】
補助給紙ローラ４（図１参照）は、給紙方向では第１分離機構２の給紙ローラ６より上流側にあり、給紙方向に直交する方向、即ち給紙方向に向かって左右方向では第１分離機構２と抵抗手段３の間に置かれている。
補助給紙ローラ４に対する駆動は、図示されていない連結駆動機構によって第１分離機構２の給紙ローラ６の回転軸に連結されており、給紙ローラ６よりもやや遅い回転数で駆動されるように設定されており、用紙が給紙ローラ６により補助給紙ローラ４の回転よりも速い速度で引っ張られる場合には、それに応じて回転し得るようワンウェイクラッチが設けられている。補助給紙ローラ４はその回転により最上層の用紙の先端を第１分離機構２の給紙ローラ６とサバキ板７の間へ押し込むようにする。押し込まれた後は給紙ローラ６によって前方へ給送されることになる。抵抗手段３は、給紙方向ではほぼ第１分離機構２と並び、給紙方向と直交する方向では、第１分離機構が片寄せられた方とは反対側の方へ間隔を置いて設けられる。
【００４０】
図３および図４は、抵抗手段３の実施例を給紙方向と直交する方向から見た側面図と用紙が出て来る方から見た正面図とを示す。
図３の（ａ）は、回転駆動されているローラ９とガイド板５が近接する近傍に、支軸１１で回動可能に軸支され、左端が引っ張りばね１２で引っ張られているため支軸１１より右の部分が反時計方向に弾性付勢されたバー１０が設けられており、ローラ９とガイド板５の間を通過しようとする用紙は、バー１０を時計方向に倒すようにして通過せねばならず、この反時計方向に弾性付勢されているバー１０を時計方向へ倒さなければならない分だけ用紙の前進に対する抵抗になるというものである。
【００４１】
図３の（ｂ）は、ローラ９とガイド板５が近接する近傍に、ガイド板５の下方から弾力抵抗板１３を立設し、用紙が通過するためには、弾力抵抗板１３を点線で示すように、押し曲げながら通過せねばならず、この押し曲げなければならない分だけ用紙の前進に対する抵抗になるというものである。
【００４２】
図３（ｃ）は、支軸１１で軸支され左端が引っ張りばね１２で下方へ引っ張られ、右端の方が緩やかに下方へ曲がっている曲り板１５が、曲り部分をローラ９に弾性接触するようにして設けられているため、用紙が前進するためには、接触している曲り部分を押し下げなければならず、その分だけ用紙の前進に対する抵抗になるというものである。
【００４３】
図４の（ａ）は、ばね固定手段１８内の圧縮ばね１７によって押し上げ方向の弾性付勢を受けている筒体１６の上部が、ローラ９とガイド板５の近接する近傍でローラ９に弾性接触しているため、用紙が通過するためには筒体１６を押し下げなければならず、その分だけ用紙の前進に対する抵抗になるというものである。
【００４４】
図４の（ｂ）は、ローラ９の両サイドでガイド板５をローラ９の用紙接触部分よりわずか高くなるようにせり上げてガイドせり上り部１９を形成し、用紙がローラ９の下へ進入して来ると、正面図に示すように、用紙２１がローラ９の部分では低く、両サイドのガイドせり上り部１９では高くなるように、幅方向に波打つように変形するので、その分だけ用紙の前進に対する抵抗になるというものである。
【００４５】
図４の（ｃ）は、（ｂ）のガイドせり上り部１９、１９に代えて円形部材２０を配置したものである。
円形部材２０の上部がローラ９の下部よりやや高くなるように配置されているため、用紙２１は（ｂ）の場合と同様に幅方向で波打つようになるため、その分だけ用紙の前進に対して抵抗になるというものである。
【００４６】
以上のように、第１分離機構を給紙方向に向かって左右片側端に寄せて（図１では左端側）設けることにより、寄せた方の短辺に折り目が来る用紙であっても１部ずつ給紙することができるとともに、抵抗手段３および補助給紙ローラ４の配置により分離機構が左右一方端に片寄って設けられていても、用紙が給紙方向に対して傾くことなく給紙できることになる。
【００４７】
補助給紙ローラ４の、給紙方向に向かって左右方向の位置は、第１分離機構２と抵抗手段３の間であるが、第１分離機構２と抵抗手段３の、用紙の進行に対する抵抗はサバキ板を有する分離機構の方が大きい。
従って、第１分離機構の抵抗を弱めて抵抗手段の抵抗とバランスを取るようにするために補助給紙ローラ４は第１分離機構寄りとするのがよい。
【００４８】
また、抵抗手段として、図３、図４のような構造のものに代えて、第１分離機構２と同様に給紙ローラ６とサバキ板７を有する第２分離機構を給紙方向に向かって左右方向の央部に設けるようにしてもよい。この第２分離機構は、横開きでない用紙を給紙する場合に、分離機構として作用させるものであるから、横開き紙を給紙する場合は、第２分離機構の給紙ローラとサバキ板とは離間させておく。このため、給紙ローラとサバキ板が圧接している第１分離機構の方が、第２分離機構に比べて用紙の進行に対する抵抗が大きくなるので、補助給紙ローラ４はやはり第１分離機構寄りとするのが良い。
【００４９】
図５は、給紙ローラ６とサバキ板５とからなる第１分離機構２の他に、第１分離機構２の給紙方向線に沿って、押さえコロ２２、導入コロ２３、給紙搬送コロ２４を設けた場合の側面図である。
図５ではこれら３種のコロがすべて設けられた図となっているが、本発明の実施例としては、いずれか１種のコロのみを有する場合や、いずれか２種のコロを有する場合および３種すべてを有する場合が含まれる。押さえコロ２２は、給紙ローラ６とサバキ板７とからなる第１分離機構２の上流に設けられているので、第１分離機構２が、給紙方向に向かって左又は右側に来る用紙の折り目に合わせて左又は右側にある場合に押さえコロも同じ側にあることになり、用紙の折り目側の方を用紙束の上から押さえることになり、第１分離機構２の上流における折り目付近で上側紙と下側紙がずれたり、用紙の向きが給紙方向に対して傾いたりするのを防止するとともに、積載用紙上面の折り目側が高くなるのを抑制し、給紙を安定させることになる。
【００５０】
具体的な構造としては、自由回転軸を上下方向長穴の軸受けに支持されるようにすることにより、押さえコロ２２は給紙の進行とともに回転しつつ自重で用紙束を抑えることにするか、更に自由回転軸をばね等で下向きに付勢することにより押さえ力を大きくすることができる。また、立てたり倒したりすることのできるアームの先に軸受けを設け、この軸受けに押さえコロを取り付けることにより、押さえコロが不要なときには上方へ退避させておくことができる構造とすることもできる。
【００５１】
また、単に分離機構の上流というだけでなく押さえローラ２２の、給紙方向に向かって左右いずれか片寄っている側の側面、例えば左側に片寄っている場合には左側面、右側に片寄っている場合には右側面が、給紙ローラの同じ側の側面より更に出る位置にすることにより、押さえコロ２２が用紙の折り目そのものを押さえることになり、押さえの効果が一層高まることとなる。
【００５２】
次に、導入コロ２３が、給紙ローラ６の上流側直近に、用紙を給紙ローラ６の下方へ導くように設けられている。給紙ローラ６とサバキ板７との挟み圧の具合によっては、折り用紙の上側紙と下側紙の前進のバランスが悪くなり、給紙ローラ６の手前で用紙が上側に膨らもうとすることがあるが、導入コロ２３によって用紙を導入板２５に押さえることにより膨らみを抑えることができ、上側紙と下側紙をともに安定して前進させることができる。
【００５３】
更に、導入コロ２３の回転軸方向の位置を、押さえコロ２２の場合と同様に、給紙ローラ６が給紙方向に向かって左右いずれか片寄っている方の側で導入コロ２３の側面が給紙ローラの同じ側の側面より出るように配置することにより、給紙ローラ６と相俟って用紙を押さえる範囲が広がって一層膨らみを抑えることができ、特に折り目を押さえる位置にしたときにはその効果が大きい。
【００５４】
次に、給紙搬送コロ２４が、給紙ローラ６とサバキ板７との接触点から直近下流の位置に給紙ローラ６と接して設けられている。
給紙ローラ６とサバキ板７とからなる分離機構を用紙の折り目のある側に片寄らせ、更に、押さえコロ２２や導入コロ２３を設けても、所詮、折り用紙は上側紙と下側紙の２枚からなっており、一方、分離機構は本質的に１枚ずつ或いは１部ずつ分離して給紙するという動作をするものであるから、分離機構における上側紙と下側紙のずれを完全になくすことはできない。
【００５５】
そこで、給紙ローラ６とサバキ板７の接触点を出た直後に、出て来た用紙を給紙ローラ６と給紙搬送コロ２４で挟んで、僅かなずれが拡大しないうちに送り出してしまうことにより、折り用紙の給紙を安定に行わせようとするものである。
図５では給紙搬送コロ２４に対する駆動は示していないが、上記のような機能からすれば給紙搬送コロ２４に対して回転軸から回転駆動力を加えた方がよい。
【図面の簡単な説明】
【００５６】
【図１】本発明給紙装置の部分平面図である。
【図２】本発明給紙装置における分離機構の構成を側面から見た図である。
【図３】本発明給紙装置における抵抗手段の実施例の側面図および正面図である。
【図４】本発明給紙装置における抵抗手段の実施例の側面図および正面図である。
【図５】本発明給紙装置において、給紙ローラとサバキ板とからなる分離機構に対し、押さえコロ、導入コロおよび給紙搬送コロの配置位置関係を給紙方向と直交する方向から見た配置構成図である。
【符号の説明】
【００５７】
１  給紙板
２  第１分離機構
３  抵抗手段
４  補助給紙ローラ
５  ガイド板
６  給紙ローラ
７  サバキ板
８  サバキ板取付け台
９  ローラ
１０  バー
１１  支軸
１２  引っ張りばね
１３  弾力抵抗板
１４  用紙束
１５  曲り板
１６  筒体
１７  圧縮ばね
１８  ばね固定手段
１９  ガイドせり上り部
２０  円形部材
２１  用紙
２２  押さえコロ
２３  導入コロ
２４  給紙搬送コロ
２５  導入板
【図１】
2008110824.tif 000003
【図２】
2008110824.tif 000004
【図３】
2008110824.tif 000005
【図４】
2008110824.tif 000006
【図５】
2008110824.tif 000007